(57)【要約】【課題】装置の小型化と通常使用時の操作性の向上とを両立する画像読取記録装置を提供する。【解決手段】画像読取記録装置１は、画像読取ユニット１０と画像記録ユニット２０とを有し、画像読取ユニット１０は、画像記録ユニット２０に対して、第１の位置と、第１の位置とは水平方向の位置が異なる第２の位置とに移動可能に連結されている。画像読取ユニット１０は、画像記録ユニット２０に向かって突出する凸部１１を有し、画像記録ユニット２０は、画像読取ユニット１０が第１の位置にあるときに凸部１１を受け入れる第１の凹部２２と、画像読取ユニット１０が第２の位置にあるときに凸部１１を受け入れる第２の凹部２３とを有している。画像読取ユニット１０は、第１の位置と第２の位置との間を移動する際に、第１の位置および第２の位置よりも画像記録ユニット２０から上方に離れた位置である第３の位置を経由する。【選択図】図３
2017204820.tif 000002
【特許請求の範囲】
【請求項１】
画像を読み取る画像読取ユニットと、記録媒体に画像を記録する画像記録ユニットとを有し、前記画像読取ユニットが、前記画像記録ユニットの上方に設置されるとともに、前記画像記録ユニットに対して、第１の位置と、前記第１の位置とは水平方向の位置が異なる第２の位置とに移動可能に連結された画像読取記録装置において、
前記画像読取ユニットおよび前記画像記録ユニットの一方のユニットは、他方のユニットと対向する面に、前記他方のユニットに向かって突出する凸部を有し、前記他方のユニットは、前記一方のユニットと対向する面に、前記画像読取ユニットが前記第１の位置にあるときに前記凸部を受け入れる第１の凹部と、前記画像読取ユニットが前記第２の位置にあるときに前記凸部を受け入れる第２の凹部とを有し、
前記画像読取ユニットは、前記第１の位置と前記第２の位置との間を移動する際に、前記第１の位置および前記第２の位置よりも前記画像記録ユニットから上方に離れた位置である第３の位置を経由することを特徴とする画像読取記録装置。
【請求項２】
前記画像読取ユニットおよび前記画像記録ユニットには、前記画像読取ユニットと前記画像記録ユニットとを相対移動可能に連結する連結機構が設けられていることを特徴とする、請求項１に記載の画像読取記録装置。
【請求項３】
前記連結機構は、前記画像記録ユニットの上面に前記画像読取ユニットの移動方向に沿って設けられた一対のガイド溝と、前記画像読取ユニットの下面に設けられ、前記一対のガイド溝に案内される一対のガイド突起と、前記画像読取ユニットと前記画像記録ユニットとの間に設けられた一対のアーム部材とを含み、
前記各アーム部材は、一方の端部で、前記ガイド溝の延在方向に垂直な回転軸によって前記画像記録ユニットに回転可能に支持され、他方の端部で、前記回転軸に平行な回転軸によって前記画像読取ユニットに回転可能に支持されていることを特徴とする、請求項２に記載の画像読取記録装置。
【請求項４】
前記連結機構は、前記画像読取ユニットと前記画像記録ユニットとの間に設けられた二対のアーム部材を含み、
前記各アーム部材は、一方の端部で、前記画像読取ユニットの移動方向に垂直な回転軸によって前記画像記録ユニットに回転可能に支持され、他方の端部で、前記回転軸に平行な回転軸によって前記画像読取ユニットに回転可能に支持されていることを特徴とする、請求項２に記載の画像読取記録装置。
【請求項５】
前記画像記録ユニットの内部を露出させる前記第３の位置に前記画像読取ユニットを保持する保持機構が設けられていることを特徴とする、請求項３または４に記載の画像読取記録装置。
【請求項６】
前記連結機構は、前記画像読取ユニットおよび前記画像記録ユニットの一方のユニットの他方のユニットと対向する面に、前記画像読取ユニットの移動方向に沿って設けられた二対のガイド溝と、前記他方のユニットの前記一方の面と対向する面に設けられ、前記二対のガイド溝に案内される二対のガイド突起とを含み、
前記各ガイド溝は、該ガイド溝の延在方向の両端部における深さよりも中間部における深さが浅いことを特徴とする、請求項２に記載の画像読取記録装置。
【請求項７】
前記画像読取ユニットは、前記第１の位置にあるときに、前記画像記録ユニットの上面を覆い、前記第２の位置にあるときに、前記画像記録ユニットの上面に開口する前記記録媒体の供給部を開放することを特徴とする、請求項１から６のいずれか１項に記載の画像読取記録装置。
【発明の詳細な説明】
【技術分野】
【０００１】
本発明は、画像読取記録装置に関する。
【背景技術】
【０００２】
従来から、ファクシミリ、複写機、複合機などに代表される画像読取記録装置が知られている。画像読取記録装置は、原稿の画像を読み取る画像読取ユニットと、読み取った画像情報に基づいて記録媒体に画像を記録する画像記録ユニットとを備えている。このような画像読取記録装置では、多くの場合、装置の小型化・省スペース化を目的として、画像読取ユニットが画像記録ユニットの上方に設置された構成が採用されている。
さらに、特許文献１には、画像記録ユニットの上面に対して画像読取ユニットが水平方向にスライド可能に設置された構成が開示されている。このような構成によれば、画像読取ユニットをスライドさせることで、例えば読取動作と記録動作を同時に行うこともでき、装置の小型化だけでなく、通常時の操作性の向上を図ることも可能になる。また、画像記録ユニットの上面の一部が開放されるため、消耗品交換や紙詰まりなどのメンテナンスを容易に行うことも可能になる。
【先行技術文献】
【特許文献】
【０００３】
【特許文献１】特開２００７−３２９８０１号公報
【発明の概要】
【発明が解決しようとする課題】
【０００４】
特許文献１に記載の構成では、画像読取ユニットを画像記録ユニットに対してスライドさせる際にそれらが互いに物理的に干渉しないように、両ユニット間に一定のスペースを確保する必要がある。すなわち、画像読取ユニットの最下部が画像記録ユニットの最上部よりも上方に位置するように、画像読取ユニットを画像記録ユニットに対して上下方向に一定の間隔を置いて設置する必要がある。したがって、特許文献１に記載の構成では、装置全体のサイズ、特に高さが、個々のユニットの上下方向の最大長さに依存するため、装置の小型化には限界がある。
そこで、本発明の目的は、装置の小型化と通常使用時の操作性の向上とを両立する画像読取記録装置を提供することである。
【課題を解決するための手段】
【０００５】
上述した目的を達成するために、本発明の画像読取記録装置は、画像を読み取る画像読取ユニットと、記録媒体に画像を記録する画像記録ユニットとを有し、画像読取ユニットは、画像記録ユニットの上方に設置されるとともに、画像記録ユニットに対して、第１の位置と、第１の位置とは水平方向の位置が異なる第２の位置とに移動可能に連結されている。画像読取ユニットおよび画像記録ユニットの一方のユニットは、他方のユニットと対向する面に、他方のユニットに向かって突出する凸部を有し、他方のユニットは、一方のユニットと対向する面に、画像読取ユニットが第１の位置にあるときに凸部を受け入れる第１の凹部と、画像読取ユニットが第２の位置にあるときに凸部を受け入れる第２の凹部とを有している。画像読取ユニットは、第１の位置と第２の位置との間を移動する際に、第１の位置および第２の位置よりも画像記録ユニットから上方に離れた位置である第３の位置を経由する。
このような画像読取記録装置では、画像読取ユニットが画像記録ユニットに対して水平方向に移動可能に連結される構成であっても、画像読取ユニットの最下部を画像記録ユニットの最上部よりも下方に配置することが可能になる。その結果、通常使用時の操作性の向上を図りながら、装置の小型化を実現することも可能になる。
【発明の効果】
【０００６】
以上、本発明によれば、装置の小型化と通常使用時の操作性の向上とを両立する画像読取記録装置を提供することができる。
【図面の簡単な説明】
【０００７】
【図１】第１の実施形態に係る画像読取ユニットの概略斜視図である。
【図２】第１の実施形態に係る画像記録ユニットの概略斜視図である。
【図３】第１の実施形態に係る画像読取記録装置の概略断面図である。
【図４】第２の実施形態に係る画像読取ユニットの概略斜視図である。
【図５】第２の実施形態に係る画像記録ユニットの概略斜視図である。
【図６】第２の実施形態に係る画像読取記録装置の概略断面図である。
【図７】第３の実施形態に係る画像読取ユニットの概略斜視図である。
【図８】第３の実施形態に係る画像記録ユニットの概略斜視図である。
【図９】第３の実施形態に係る画像読取記録装置の概略断面図である。
【発明を実施するための形態】
【０００８】
以下、図面を参照して、本発明の実施の形態について説明する。本発明の画像記録装置は、原稿の画像を読み取る画像読取ユニットと、記録媒体に画像を記録する画像記録ユニットとを有するものであり、画像読取ユニットが画像記録ユニットの上方に設置されたものである。
【０００９】
（第１の実施形態）
図１は、本発明の第１の実施形態に係る画像読取ユニットを下方から見た概略斜視図であり、図２は、本発明の第１の実施形態に係る画像記録ユニットを上方から見た概略斜視図である。
【００１０】
画像読取ユニット１０は、いずれも図示は省略するが、透明な部材からなる原稿台と、原稿台に対して開閉可能に設けられ、原稿台にセットされたシート状の原稿を押さえるための原稿押さえ部材とを有している。画像読取ユニット１０の内部には、原稿の画像を読み取るイメージセンサと、イメージセンサを走査方向に移動可能に案内するガイドレールとが設けられている。このガイドレールに対応して、画像読取ユニット１０の下面（すなわち画像記録ユニット２０と対向する面）には、下方（すなわち画像記録ユニット２０）に向かって突出する凸部１１が設けられている。
画像読取ユニット１０は、外部のコンピュータや操作パネル（図示せず）からの画像読取指令により、原稿台にセットされた原稿の画像を読み取ることができ、読み取った画像データ（画像情報）を外部のコンピュータに送信することもできる。
【００１１】
画像記録ユニット２０は、いずれも図示は省略するが、記録用紙などの記録媒体に画像を記録する記録部と、記録媒体を搬送する搬送部とを有している。また、画像記録ユニット２０の上部には、記録部に記録媒体を供給する供給部としての給紙部２１と、２つの凹部２２，２３とが設けられている。２つの凹部２２，２３は、後述するように、画像読取ユニット１０が画像記録ユニット２０の上方に設置された際に凸部１１を受け入れるために設けられている。
画像記録ユニット２０は、外部のコンピュータからの画像記録指令により、搬送部を通じて給紙部２１から記録部に供給される記録媒体に画像を記録して排紙部（図示せず）に排出することができる。画像記録ユニット２０は、画像読取ユニット１０によって読み取られた画像データに基づいて画像のコピーを行うこともできる。
【００１２】
画像読取ユニット１０および画像記録ユニット２０には、両者を相対移動可能に連結する連結機構が設けられている。具体的には、画像読取ユニット１０には、一対のガイド突起１２が設けられ、画像記録ユニット２０には、一対のガイド突起１２を移動可能に案内する一対のガイド溝２４が設けられている。さらに、画像記録ユニット２０には、画像記録ユニット２０に回転可能に支持された一対のアーム部材２５が設けられ、画像読取ユニット１０には、一対のアーム部材２５を回転可能に支持する一対の軸受部１３が設けられている。
【００１３】
ガイド突起１２は、画像読取ユニット１０の下面から突出して設けられ、先端に軸部１２ａを有している。ガイド溝２４は、画像読取ユニット１０の移動方向に沿って直線的に延び、深さがほぼ一定である。ガイド突起１２は、軸部１２ａがガイド溝２４の延在方向に対して垂直になるように、ガイド溝２４内に収容される。これにより、ガイド突起１２は、ガイド溝２４に沿って水平方向Ｈにスライド可能であるとともに、軸部１２ａを中心軸としてガイド溝２４内で回転可能である。ガイド溝２４は、ガイド突起１２（軸部１２ａ）の上下方向Ｖへの移動を規制するために、軸部１２ａの幅（軸方向の長さ）よりも小さい開口幅を有していることが好ましい。
アーム部材２５は、その両端に互いに平行な一対の軸部を備えている。アーム部材２５は、一方の軸部２５ｂ（図３参照）がガイド溝２４の延在方向に対して垂直になるように、一方の軸部２５ｂを回転軸として画像記録ユニット２０に回転可能に取り付けられる。また、アーム部材２５は、他方の軸部２５ａを回転軸として画像読取ユニット１０の軸受部１３に回転可能に取り付けられる。
【００１４】
次に、図３（ａ）から図３（ｃ）を参照して、本実施形態の画像記録ユニットに対する画像読取ユニットの移動動作について説明する。図３（ａ）から図３（ｃ）は、この移動動作を説明するための画像読取記録装置の概略断面図であり、画像読取ユニットの移動方向に沿った断面を示している。
画像読取ユニット１０は、上述した連結機構の作用により、図３（ａ）に示す閉位置（第１の位置）と、閉位置とは画像記録ユニット２０に対する水平方向Ｈの位置が異なる、図３（ｃ）に示す開位置（第２の位置）とに移動することができる。図３（ａ）に示す閉位置では、画像読取ユニット１０が画像記録ユニット２０の上面を覆うとともに、画像読取ユニット１０の凸部１１が画像記録ユニット２０の第１の凹部２２に受け入れられている。一方、図３（ｃ）に示す開位置では、画像読取ユニット１０が画像記録ユニット２０の上面に開口する給紙部２１を開放するとともに、画像読取ユニット１０の凸部１１が画像記録ユニット２０の第２の凹部２３に受け入れられている。
【００１５】
このような画像読取ユニット１０の移動は、図３（ｂ）に示すように、ガイド突起１２の軸部１２ａがガイド溝２４に沿って水平方向Ｈにスライド移動し、アーム部材２５が一方の軸部２５ｂを回転軸として回転移動することで実現される。このため、画像読取ユニット１０の移動は、画像記録ユニット２０に対して直線的なものではなく、図３（ｂ）に示すように、閉位置や開位置とは画像記録ユニット２０に対する上下方向Ｖの位置が異なる中間位置（第３の位置）を経由したものになる。すなわち、画像読取ユニット１０は、閉位置と開位置との間を移動する際に、画像記録ユニット２０から上方に離れた位置を経由して移動することになる。
したがって、画像読取ユニット１０が移動する際にも、画像読取ユニット１０の下面に設けられた凸部１１が画像記録ユニット２０と物理的に干渉することを抑制することができる。これにより、上述したように、画像読取ユニット１０の凸部１１が閉位置および開位置においてそれぞれ画像記録ユニット２０の第１および第２の凹部２２，２３に受け入れられる構成が可能になる。その結果、閉位置および開位置において、画像読取ユニット１０の最下部（凸部１１の先端）を画像記録ユニット２０の最上部（上面）よりも低い位置に配置することができる。こうして、装置全体のサイズ、特に高さを低くすることができ、装置の小型化を実現することができる。
【００１６】
なお、画像読取ユニット１０は、上述したように、図３（ａ）に示す閉位置では、画像記録ユニット２０の上面を覆うことができ、図３（ｃ）に示す開位置では、画像記録ユニット２０の上面に開口する給紙部２１を開放することができる。これにより、画像読取記録装置１の使用状態に応じて、画像読取ユニット１０の位置を適切な位置に変更することができ、通常使用時の操作性の向上を図ることが可能になる。
また、本実施形態では、画像記録ユニット２０の内部を露出させる中間位置（図３（ｂ）参照）に画像読取ユニット１０を保持する保持機構（図示せず）が設けられている。これにより、中間位置において、画像記録ユニット２０の内部へのアクセスが容易になり、記録部における消耗品交換や搬送部における紙詰まりなどのメンテナンスを容易に行うことも可能になる。画像読取ユニット１０を所定の位置に保持する手段としては、アーム部材２５の回転移動を所定の位置で係止する係止部を設けるなど、公知の手段を用いることができる。
【００１７】
（第２の実施形態）
図４は、本発明の第２の実施形態に係る画像読取ユニットを下方から見た概略斜視図であり、図５は、本発明の第２の実施形態に係る画像記録ユニットを上方から見た概略斜視図である。以下、第１の実施形態と同様の構成については図面に同じ符号を付してその説明を省略し、第１の実施形態と異なる構成のみ説明する。
本実施形態は、第１の実施形態に対して、画像読取ユニット１０と画像記録ユニット２０との連結機構の構成を変更した変形例である。画像読取ユニット１０には、第１の実施形態のガイド突起１２の代わりに、軸受部１３と同様の軸受部１４が設けられ、画像記録ユニット２０には、第１の実施形態のガイド溝２４の代わりに、アーム部材２５と同様のアーム部材２６が設けられている。すなわち、本実施形態では、画像記録ユニット２０には、画像記録ユニット２０に回転可能に支持された二対のアーム部材２５，２６が設けられ、画像読取ユニット１０には、これらを回転可能に支持する二対の軸受部１３，１４が設けられている。
【００１８】
図６（ａ）から図６（ｃ）は、本実施形態の画像記録ユニットに対する画像読取ユニットの移動動作を説明するための画像読取記録装置の概略断面図であり、画像読取ユニットの移動方向に沿った断面を示している。
第１の実施形態と同様に、画像読取ユニット１０は、図６（ａ）に示す閉位置と、図６（ｃ）に示す開位置とに移動することができる。このとき、画像読取ユニット１０は、各アーム部材２５，２６が一方の軸部２５ｂ，２６ｂを回転軸として回転移動することで、画像記録ユニット２０から上方に離れた図６（ｂ）に示す中間位置を経由して移動することができる。したがって、本実施形態においても、画像読取ユニット１０が移動する際に、画像読取ユニット１０の下面に設けられた凸部１１が画像記録ユニット２０と物理的に干渉することを抑制することができる。その結果、閉位置および開位置において、画像読取ユニット１０の凸部１１が画像記録ユニット２０の第１および第２の凹部２２，２３にそれぞれ受け入れられる構成が可能になり、装置全体の高さを低くすることが可能になる。
なお、本実施形態においても、図示しない保持機構により、図６（ｂ）に示す中間位置に画像読取ユニット１０を保持することができ、それにより、記録部における消耗品交換や搬送部における紙詰まりなどのメンテナンスを容易に行うことが可能になる。
【００１９】
（第３の実施形態）
図７は、本発明の第３の実施形態に係る画像読取ユニットを下方から見た概略斜視図であり、図８は、本発明の第３の実施形態に係る画像記録ユニットを上方から見た概略斜視図である。以下、第１および第２の実施形態と同様の構成については図面に同じ符号を付してその説明を省略し、第１および第２の実施形態と異なる構成のみ説明する。
本実施形態は、第１の実施形態に対して、画像読取ユニット１０と画像記録ユニット２０との連結機構の構成を変更した変形例である。画像読取ユニット１０には、第１の実施形態の軸受部１３の代わりに、ガイド突起１２と同様のガイド突起１５が設けられ、画像記録ユニット２０には、第１の実施形態のアーム部材２５の代わりに、ガイド溝２４と同様のガイド溝２７が設けられている。すなわち、本実施形態では、画像読取ユニット１０には、二対のガイド突起１２，１５が設けられ、画像記録ユニット２０には、二対のガイド突起１２，１５を移動可能に案内する二対のガイド溝２４，２７が設けられている。
さらに、本実施形態は、ガイド溝２４，２７の深さがその延在方向に沿って一定ではない点で、第１の実施形態と異なっている。すなわち、ガイド溝２４，２７の深さは、画像読取ユニット１０の中間位置を経由した閉位置と開位置との間の移動経路に対応して、ガイド溝２４，２７の延在方向の両端部よりも中間部において浅くなっている。
【００２０】
図９（ａ）から図９（ｃ）は、本実施形態の画像記録ユニットに対する画像読取ユニットの移動動作を説明するための画像読取記録装置の概略断面図であり、画像読取ユニットの移動方向に沿った断面を示している。
第１の実施形態と同様に、画像読取ユニット１０は、図９（ａ）に示す閉位置と、図９（ｃ）に示す開位置とに移動することができる。このとき、画像読取ユニット１０は、各ガイド突起１２，１５が各ガイド溝２４，２７に案内されることで、画像記録ユニット２０から上方に離れた図９（ｂ）に示す中間位置を経由して移動することができる。したがって、本実施形態においても、画像読取ユニット１０が移動する際に、画像読取ユニット１０の下面に設けられた凸部１１が画像記録ユニット２０と物理的に干渉することを抑制することができる。その結果、閉位置および開位置において、画像読取ユニット１０の凸部１１が画像記録ユニット２０の第１および第２の凹部２２，２３にそれぞれ受け入れられる構成が可能になり、装置全体の高さを低くすることが可能になる。
【００２１】
なお、本実施形態では、各ガイド突起１２，１５（軸部１２ａ，１５ａ）にコロなどの回転部材を別途設けることで、画像記録ユニット２０に対する画像読取ユニット１０の移動をスムーズにすることもできる。また、本実施形態では、ガイド突起とガイド溝との関係が逆であってもよく、すなわち、画像読取ユニット１０にガイド溝が設けられ、画像記録ユニット２０にガイド突起が設けられていてもよい。
【００２２】
上述した各実施形態では、画像記録ユニットと画像読取ユニットとの間の電気的な接続は、例えば、適切な長さに設定された電気配線によって両ユニットを接続することで実現することができる。あるいは、画像読取ユニットが各移動位置にあるときにのみ接点同士が接続されるなどして、画像記録ユニットと画像読取ユニットとが電気的に接続するようになっていてもよい。
【符号の説明】
【００２３】
１  画像読取記録装置
１０  画像記録ユニット
１１  凸部
２０  画像読取ユニット
２２  第１の凹部
２３  第２の凹部
【図１】
2017204820.tif 000003
【図２】
2017204820.tif 000004
【図３】
2017204820.tif 000005
【図４】
2017204820.tif 000006
【図５】
2017204820.tif 000007
【図６】
2017204820.tif 000008
【図７】
2017204820.tif 000009
【図８】
2017204820.tif 000010
【図９】
2017204820.tif 000011